【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
必要に応じて間欠的にインクが充填される際に利用されるヘッド側連結部を備えたインクジェット記録ヘッドを搭載する記録装置のインクカートリッジ装填部に対して着脱可能であり、前記ヘッド側連結部と連結可能に構成されるカートリッジ側連結部を備え、前記カートリッジ側連結部を介して供給されるインクを収容したインクカートリッジにおいて、
前記ヘッド側連結部と前記カートリッジ側連結部との間欠的な連結が前記インクカートリッジの一端側を中心に回動させる回動動作の利用によって行なわれるように構成された前記記録装置の前記回動のための動力を受ける動力受け部を前記インクカートリッジの他端側に備えており、
前記動力受け部と同一の端側で、且つ前記動力受け部に対して対向した個所に前記カートリッジ側連結部が備えられていることを特徴とするインクカートリッジ。
【請求項２】
前記動力受け部はインクカートリッジの装着状態の底面側に設けられ、前記カートリッジ側連結部はインクカートリッジの装着状態の上面側に設けられている、請求項１または２に記載のインクカートリッジ。
【請求項３】
前記ヘッド側連結部には連結管を備えており、該連結管に対応して前記カートリッジ側連結部には弾性シール部材が配置されている、請求項１ないし３のいずれか１項に記載のインクカートリッジ。
【請求項４】
前記記録装置はカラー記録を達成するため前記インクジェット記録ヘッドはイエロー、シアン、マゼンタのインクを吐出するように構成されており、各インクに対応して前記ヘッド側連結部には３本の連結管が配置され、前記インクカートリッジにはイエロー、シアン、マゼンタのインクが貯留されており、前記カートリッジ側連結部には各色に対応した連結部が配置されている、請求項１ないし３のいずれか１項に記載のインクカートリッジ。
【請求項５】
前記インクカートリッジは、記録に利用されなかったインクを回収する回収部を備えている、請求項１ないし４のいずれか１項に記載のインクカートリッジ。
【請求項６】
前記回収部にはインク吸収部材が配されていることを特徴とする請求項５に記載のインクカートリッジ。
【請求項７】
必要に応じて間欠的にインクが充填される際に利用されるヘッド側連結部を備えたインクジェット記録ヘッドを搭載する記録装置のインクカートリッジ装填部に対して着脱可能であり、前記ヘッド側連結部と連結可能に構成されるカートリッジ側連結部を備え、前記カートリッジ側連結部を介してインクを供給可能に構成したインクカートリッジにおいて、
前記インクカートリッジには、カラー記録を達成するための3色のインクが個別に収納されたインク収納体を備えており、該インク収納体は前記カートリッジ側連結部と連通しているとともに、
記録に利用されなかったインクを回収する回収部を備えており、前記回収部にはインク吸収部材が配されており、
前記カートリッジ側連結部には、弾性シール体が配置されており、
前記ヘッド側連結部と前記カートリッジ側連結部との間欠的な連結が前記インクカートリッジの一端側を中心に回動させる回動動作の利用によって行なわれるように構成された前記記録装置の前記回動のための動力を受ける動力受け部を前記インクカートリッジの他端側に備えており、
前記動力受け部と同一の端側で、且つ前記動力受け部に対して対向した個所に前記カートリッジ側連結部が備えられていることを特徴とするインクカートリッジ。
【請求項８】
前記インク収納体は袋体であり、イエロー、シアン、マゼンタの各色を収納した袋体が重力方向に沿って積層されている、請求項７に記載のインクカートリッジ。
【請求項９】
前記弾性シール体は押圧部材によって押圧して取り付けられている、請求項７または８に記載のインクカートリッジ。
【請求項１０】
内部にインクを収納するインク収納室と、前記インク収納室内に連通した複数の連通管とを備え、被記録媒体にインクを吐出する記録ヘッドを有する記録装置に着脱可能で、筐体内にインクを収納したインクカートリッジにおいて、
前記記録装置によって印加される前記インクカートリッジの一端を回転の中心軸にした回転動作を行なわせる回動力を受ける回動力受け部と、
前記回動力による回動中心軸周りの回動によって前記各連通管が挿抜される前記筐体内に連通する穴が形成された複数の結合部を前記インクカートリッジの他端側に有し、
前記回動力受け部と同一の端側で、且つ前記動力受け部に対して対向した個所に前記結合部が備えられていることを特徴とするインクカートリッジ。
【手続補正２】
【補正対象書類名】明細書
【補正対象項目名】０００９
【補正方法】変更
【補正の内容】
【０００９】
【課題を解決するための手段】
上記目的を達成するため本発明のインクカートリッジは、必要に応じて間欠的にインクが充填される際に利用されるヘッド側連結部を備えたインクジェット記録ヘッドを搭載する記録装置のインクカートリッジ装填部に対して着脱可能であり、ヘッド側連結部と連結可能に構成されるカートリッジ側連結部を備え、カートリッジ側連結部を介して供給されるインクを収容したインクカートリッジにおいて、ヘッド側連結部とカートリッジ側連結部との間欠的な連結がインクカートリッジの一端側を中心に回動させる回動動作の利用によって行なわれるように構成された記録装置の回動のための動力を受ける動力受け部をインクカートリッジの他端側に備えており、動力受け部と同一の端側で、且つ動力受け部に対して対向した個所にカートリッジ側連結部が備えられていることを特徴とする。
また、本発明のインクカートリッジの動力受け部はインクカートリッジの装着状態の底面側に設けられ、カートリッジ側連結部はインクカートリッジの装着状態の上面側に設けられているものであってもよい。
また、本発明のインクカートリッジは、ヘッド側連結部には連結管を備えており、該連結管に対応してカートリッジ側連結部には弾性シール部材が配置されているものであってもよい。
また、本発明のインクカートリッジは、記録装置はカラー記録を達成するためインクジェット記録ヘッドはイエロー、シアン、マゼンタのインクを吐出するように構成されており、各インクに対応してヘッド側連結部には３本の連結管が配置され、インクカートリッジにはイエロー、シアン、マゼンタのインクが貯留されており、カートリッジ側連結部には各色に対応した連結部が配置されているものであってもよい。
また、本発明のインクカートリッジは、記録に利用されなかったインクを回収する回収部を備えているものであってもよい。
また、本発明のインクカートリッジの回収部にはインク吸収部材が配されているものであってもよい。
本発明のインクカートリッジは、必要に応じて間欠的にインクが充填される際に利用されるヘッド側連結部を備えたインクジェット記録ヘッドを搭載する記録装置のインクカートリッジ装填部に対して着脱可能であり、ヘッド側連結部と連結可能に構成されるカートリッジ側連結部を備え、カートリッジ側連結部を介してインクを供給可能に構成したインクカートリッジにおいて、インクカートリッジには、カラー記録を達成するための3色のインクが個別に収納されたインク収納体を備えており、該インク収納体はカートリッジ側連結部と連通しているとともに、記録に利用されなかったインクを回収する回収部を備えており、回収部にはインク吸収部材が配されており、カートリッジ側連結部には、弾性シール体が配置されており、ヘッド側連結部とカートリッジ側連結部との間欠的な連結がインクカートリッジの一端側を中心に回動させる回動動作の利用によって行なわれるように構成された記録装置の回動のための動力を受ける動力受け部をインクカートリッジの他端側に備えており、動力受け部と同一の端側で、且つ動力受け部に対して対向した個所にカートリッジ側連結部が備えられていることを特徴とする。
また、本発明のインクカートリッジは、インク収納体は袋体であり、イエロー、シアン、マゼンタの各色を収納した袋体が重力方向に沿って積層されているものであってもよい。
また、本発明のインクカートリッジは、弾性シール体は押圧部材によって押圧して取り付けられているものであってもよい。
本発明のインクカートリッジは、内部にインクを収納するインク収納室と、インク収納室内に連通した複数の連通管とを備え、被記録媒体にインクを吐出する記録ヘッドを有する記録装置に着脱可能で、筐体内にインクを収納したインクカートリッジにおいて、記録装置によって印加されるインクカートリッジの一端を回転の中心軸にした回転動作を行なわせる回動力を受ける回動力受け部と、回動力による回動中心軸周りの回動によって各連通管が挿抜される筐体内に連通する穴が形成された複数の結合部をインクカートリッジの他端側に有し、回動力受け部と同一の端側で、且つ動力受け部に対して対向した個所に結合部が備えられていることを特徴とする。
【手続補正３】
【補正対象書類名】明細書
【補正対象項目名】００１０
【補正方法】削除
【補正の内容】